(57)【要約】【課題】  １台で異なる種類のシート状媒体を取り扱うことができるシート状媒体取扱装置を提供する。【解決手段】  シート状媒体を収容可能な収容室３内に収容されたシート状媒体を収容室３から搬送路５に送り出すための第１のローラ１３、搬送路５内で収容室３から送り出されたシート状媒体を搬送するための第２のローラ１５、第２のローラ１５に対向して設けられた第３のローラ４３、第２のローラ１５と第３のローラ４３との間隔を調整する調整手段を備え、調整手段は、第３のローラ４３を支持する支持部材４７に当接して第３のローラ４３を第２のローラ１５から離れる方向及び第３のローラ４３を第２のローラ１５に向かう方向に移動させる第１の当接部４９ｂ及び第２の当接部４９ｃを備えた移動部材４９、移動部材４９を移動させるための駆動手段、支持部材４７を第２のローラ１５方向に付勢する弾性部材６７を有する構成とする。【選択図】        図１
2005194068.tif 000002
【特許請求の範囲】
【請求項１】
重なった状態の複数枚のシート状媒体を収容可能な収容室と、該収容室内に収容されたシート状媒体を該収容室から間欠的に搬送路に送り出すための第１のローラと、前記搬送路内で前記収容室から送り出されたシート状媒体を搬送するための第２のローラと、該第２のローラに対向して設けられて該第２のローラとの間にシート状媒体を挟み込む挟持部材と、前記第２のローラと前記挟持部材との間隔を調整する調整手段とを備え、
前記第２のローラは、少なくとも外周面がシート状媒体との間で摩擦を生じる径が拡大した大径部と、該大径部よりも径が小さい小径部とを交互に有し、前記挟持部材は、前記第２のローラの大径部と小径部に噛み合う凹凸状に形成されており、少なくとも凸状の部分の前記第２のローラに対向する面がシート状媒体との間で摩擦を生じ、前記調整手段は、前記第２のローラと前記挟持部材の互いに対向する部分が重なる位置から、予め設定した間隔離れた位置までの間で前記第２のローラと前記挟持部材の互いに対向する部分の間隔を調整してなるシート状媒体取扱装置。
【請求項２】
前記挟持部材は、該挟持部材を支持する支持部材に支持され、前記調整手段は、前記支持部材に当接して前記挟持部材を前記第２のローラから離れる方向に移動させる第１の当接部、及び前記支持部材に当接して前記挟持部材を前記第２のローラに向かう方向に移動させる第２の当接部を備えた移動部材と、該移動部材を前記第１の当接部が前記支持部材に当接する方向及び前記第２の当接部材が前記支持部材に当接する方向に移動させるための駆動手段と、前記支持部材を前記第２のローラ方向に付勢する弾性部材とを有することを特徴とする請求項１に記載のシート状媒体取扱装置。
【請求項３】
前記支持部材には、前記挟持部材と前記第２のローラとが最も接近したとき、前記第２のローラに対して位置が変化しない部分に当接して、前記挟持部材と前記第２のローラとが最も接近して互いの対向する部分が重なったときの該重なった距離を規定する規定部材が設けられていることを特徴とする請求項２に記載のシート状媒体取扱装置。
【請求項４】
前記第２のローラは、反転可能であり、前記挟持部材は、前記搬送路から前記収容室に向かう方向にのみ回転可能に支持部材に支持された第３のローラであり、該第３のローラは、前記第２のローラの小径部に対向する位置に、少なくとも外周面がシート状媒体との間で摩擦を生じる径が拡大した大径部と、前記第２のローラの大径部に対向する位置に径が小さい小径部とを有し、前記第２のローラの大径部と小径部に噛み合う凹凸状に形成されていることを特徴とする請求項１乃至３のいずれか１項に記載のシート状媒体取扱装置。
【請求項５】
前記搬送路は、前記第２のローラ側に設けられた直線状の第１のガイド面と、前記挟持部材を支持する支持部材に設けられて前記第１のガイド面に平行に対向する直線状の第２のガイド面とで形成され、前記第２のローラ側で、前記第２のローラを挟んで前記第１のローラと反対側に設けられて第２のローラと連動して回転する第４のローラと、該第４のローラに対向して前記挟持部材側に設けられて該第４のローラとの間にシート状媒体を挟み込む第５のローラとを備え、該第５のローラは、前記挟持部材を支持する支持部材に回転自在に支持されていることを特徴とする請求項１乃至４のいずれか１項に記載のシート状媒体取扱装置。
【請求項６】
前記挟持部材を第１の挟持部材とし、該第１の挟持部材に加えて、前記第２のローラに対向して設けられて該第２のローラとの間にシート状媒体を挟み込む第２の挟持部材を備え、該第２の挟持部材は、前記第２のローラの大径部に対応する位置に設けられ、前記第２のローラの大径部との間にシート状媒体を挟み込む部分が、前記第１の挟持部材の凸状の部分よりも前記第２のローラに向かって突出した状態と、突出していない状態とに切り換え可能であることを特徴とする請求項１乃至５のいずれか１項に記載のシート状媒体取扱装置。
【発明の詳細な説明】
【技術分野】
【０００１】
本発明は、複数枚積み重ねた状態のシート状媒体を１枚ずつ分離して搬送するシート状媒体取扱装置に関する。
【背景技術】
【０００２】
複数枚積み重ねたシート状媒体を１枚ずつ分離して搬送するシート状媒体取扱装置として、積み重ねた状態のシート状媒体を、この積み重ねた状態のシート状媒体が収容された収容室から搬送路に、シート状媒体との間に生じる摩擦力で送り出す第１のローラ、この第１のローラによって搬送路に入ってきたシート状媒体をシート状媒体との間に生じる摩擦力で搬送する第２のローラ、そして、第２のローラに圧接されて、第２のローラとは逆回転する第３のローラなどを備えた構成が提案されている（例えば、特許文献１参照）。このような構成のシート状媒体取扱装置は、シート状媒体との間に生じる摩擦力を生じる第３のローラが逆回転することにより、第１のローラによって搬送路に送り出される複数枚のシート状媒体のうち、第１のローラ側から２枚目以降のシート状媒体が収容室側に戻されることにより、シート状媒体を１枚ずつ分離して搬送できるものである。
【０００３】
また、別の構成のシート状媒体取扱装置として、積み重ねた状態のシート状媒体を、この積み重ねた状態のシート状媒体が収容された収容室から搬送路に、シート状媒体との間に生じる摩擦力で送り出す第１のローラ、この第１のローラによって搬送路に入ってきたシート状媒体を、シート状媒体との間に生じる摩擦力で搬送する第２のローラ、そして、第２のローラとは相重なった状態で設けられ、シート状媒体が搬送路から収容室に向かう方向の一方向のみに回転する第３のローラなどを備えた構成が提案されている（例えば、特許文献２参照）。このような構成のシート状媒体取扱装置は、第３のローラが、シート状媒体が搬送路から収容室に向かう方向の一方向のみにしか回転できないため、シート状媒体が収容室から搬送路に送り出されるときには回転せず抵抗となって、２枚目以降のシート状媒体が搬送路に送り出されるのを防ぐことにより、シート状媒体を１枚ずつ分離して搬送できるものである。
【０００４】
【特許文献１】特開２００２−５３２３４号公報（第４−６頁、第７、８図）
【特許文献２】特開２００３−１６０２７１号公報（第４−６頁、第１、３図）
【発明の開示】
【発明が解決しようとする課題】
【０００５】
ところで、近年、情報ネットワークの発達などにより、シート状媒体を取り扱う固定型端末装置などの機能が増加しており、１台の固定型端末装置などで多様な媒体を取り扱う可能性が生じている。そして、これに伴い、１台の固定型端末装置で厚みや剛性などが異なる複数種類のシート状媒体を取り扱う可能性が生じている。例えば、ＡＴＭつまり現金自動取引装置などでは、現在でも、紙幣と取引明細書といったような異なる種類のシート状媒体を取り扱っているが、さらに、紙幣と共に、紙幣とは異なる種類のシート状媒体として小切手などの様々な有価証券、キャッシュカードやクレジットカードなどのプラスチック製のカードなどを取り扱うことも可能となっている。
【０００６】
ところが、従来のシート状媒体取扱装置では、異なる種類のシート状媒体を取り扱うことは難しく、異なる種類のシート状媒体を取り扱う場合には、シート状媒体の種類毎に、対応するシート状媒体取扱装置を設ける必要がある。言い換えれば、取り扱うシート状媒体の種類の数に応じた数のシート状媒体取扱装置を設ける必要があり、また、これに伴い、複数の挿入口や取出し口、または、挿入と取出しが可能な出入口などを設ける必要がある。このため、固定型端末装置などのコストの増大を招くことになる。また、複数の挿入口や取出し口、または、挿入と取出しが可能な出入口などが設けられていると、使用者に操作が複雑な印象を与えてしまう場合もある。したがって、１台のシート状媒体取扱装置で異なる種類のシート状媒体を取り扱うことが求められている。
【０００７】
本発明の課題は、１台のシート状媒体取扱装置で異なる種類のシート状媒体を取り扱えるシート状媒体取扱装置を提供することにある。
【課題を解決するための手段】
【０００８】
本発明のシート状媒体取扱装置は、重なった状態の複数枚のシート状媒体を収容可能な収容室と、この収容室内に収容されたシート状媒体をこの収容室から間欠的に搬送路に送り出すための第１のローラと、搬送路内で収容室から送り出されたシート状媒体を搬送するための第２のローラと、この第２のローラに対向して設けられてこの第２のローラとの間にシート状媒体を挟み込む挟持部材と、第２のローラと挟持部材との間隔を調整する調整手段とを備え、第２のローラは、少なくとも外周面がシート状媒体との間で摩擦を生じる径が拡大した大径部と、この大径部よりも径が小さい小径部とを交互に有し、挟持部材は、第２のローラの大径部と小径部に噛み合う凹凸状に形成されており、少なくとも凸状の部分の第２のローラに対向する面がシート状媒体との間で摩擦を生じ、調整手段は、第２のローラと挟持部材の互いに対向する部分が重なる位置から、予め設定した間隔離れた位置までの間で第２のローラと挟持部材の互いに対向する部分の間隔を調整する構成とすることにより上記課題を解決する。
【０００９】
このような構成とすれば、取り扱うシート状媒体の厚みなどに応じて、複数枚積み重ねたシート状媒体を１枚ずつ分離して搬送路に送る第２のローラと挟持部材との間隔が重なる位置から、第２のローラと挟持部材とが所定の間隔離れた位置までの間で調整できる。このため、厚みや剛性が異なるシート状媒体であっても、例えば薄いシート状媒体であれば、第２のローラと挟持部材とが重なった状態で挟み込み、厚みがあり剛性が高いシート状媒体であれば、第２のローラの大径部と挟持部材の凸状の部分で挟み込むといったように、１台のシート状媒体取扱装置で、異なる種類のシート状媒体を取り扱うことができる。
【００１０】
また、挟持部材は、この挟持部材を支持する支持部材に支持され、調整手段は、支持部材に当接して挟持部材を第２のローラから離れる方向に移動させる第１の当接部、及び支持部材に当接して挟持部材を第２のローラに向かう方向に移動させる第２の当接部を備えた移動部材と、この移動部材を第１の当接部が支持部材に当接する方向及び第２の当接部材が支持部材に当接する方向に移動させるための駆動部と、支持部材を第２のローラ方向に付勢する弾性部材とを有する構成とする。このような構成とすれば、第１の当接部と第２の当接部を有する移動部材を移動させることにより、挟持部材と第２のローラとの距離を調整でき、調整手段の構成を簡素化できる。
【００１１】
さらに、支持部材には、挟持部材と第２のローラとが最も接近したとき、第２のローラに対して位置が変化しない部分に当接して、挟持部材と第２のローラとが最も接近して互いの対向する部分が重なったときのこの重なった距離を規定する規定部材が設けられている構成とする。このような構成とすれば、挟持部材と第２のローラとが最も接近したとき、挟持部材と第２のローラとの重なり合う距離の公差の精度を向上し、シート状媒体の分離性能を向上できる。
【００１２】
さらに、搬送路は、第２のローラ側に設けられた第１のガイド面と、支持部材に設けられて第１のガイド面に平行に対向する第２のガイド面とで形成され、支持部材には、第２のガイド面よりも第１のガイド面方向に向けて突出し、規定部材は、第２のローラに対して位置が変化しない部分として第１のガイド面または第２のローラのシャフトに当接して、挟持部材と第２のローラとが最も接近して互いの対向する部分が重なったときのこの重なった距離を規定する規定部材が設けられている構成とする。
【００１３】
また、第２のローラは、反転可能であり、挟持部材は、搬送路から収容室に向かう方向にのみ回転可能に支持部材に支持された第３のローラであり、この第３のローラは、第２のローラの小径部に対向する位置に、少なくとも外周面がシート状媒体との間で摩擦を生じる径が大きい大径部と、第２のローラの大径部に対向する位置に径が小さい小径部とを有し、第２のローラの大径部と小径部に噛み合う凹凸状に形成されている構成とする。このような構成とすれば、複数枚積み重ねたシート状媒体を１枚ずつ分離して搬送するのとは逆方向にもシート状媒体を搬送することができ、シート状媒体の受け渡しが可能となる。
【００１４】
さらに、搬送路は、第２のローラ側に設けられた直線状の第１のガイド面と、挟持部材を支持する支持部材に設けられて第１のガイド面に平行に対向する直線状の第２のガイド面とで形成され、第２のローラ側で、第２のローラを挟んで第１のローラと反対側に設けられて第２のローラと連動して回転する第４のローラと、この第４のローラに対向して挟持部材側に設けられてこの第４のローラとの間にシート状媒体を挟み込む第５のローラとを備え、この第５のローラは、挟持部材を支持する支持部材に回転自在に支持されている構成とする。このような構成とすれば、第５のローラは、挟持部材と同時に移動することになるため、曲がり難いシート状媒体でも搬送が可能にするため搬送路を直線で形成した際に必要となる第４のローラと第５のローラの間隔も、第２のローラと挟持部材の間隔の調整と同時に調整できる。
【００１５】
また、第５のローラは、弾性部材によって第４のローラに向かって付勢された状態で支持部材に支持されている構成とする。
【００１６】
さらに、挟持部材を第１の挟持部材とし、この第１の挟持部材に加えて、第２のローラに対向して設けられてこの第２のローラとの間にシート状媒体を挟み込む第２の挟持部材を備え、この第２の挟持部材は、第２のローラの大径部に対応する位置に設けられ、第２のローラの大径部との間にシート状媒体を挟み込む部分が、第１の挟持部材の凸状の部分よりも第２のローラに向かって突出した状態と、突出していない状態とに切り換え可能である構成とする。これにより、第２のローラと挟持部材が噛み合ってシート状媒体を挟持した際に折れ目が付いてしまうような種類のシート状媒体も取り扱うことが可能となる。
【発明の効果】
【００１７】
本発明によれば、１台のシート状媒体取扱装置で異なる種類のシート状媒体を取り扱うことができる。
【発明を実施するための最良の形態】
【００１８】
以下、本発明を適用してなるシート状媒体取扱装置の一実施形態について図１乃至図８を参照して説明する。図１は、本発明を適用してなるシート状媒体取扱装置の概略構成及び動作を示す側面図である。図２は、本発明を適用してなるシート状媒体取扱装置の概略構成を示す正面図である。図３は、本発明を適用してなるシート状媒体取扱装置の移動部材及び支持部材の部分の概略構成を拡大して示す側面図である。図４及び図５は、本発明を適用してなるシート状媒体取扱装置のフィードローラとゲートローラがシート状媒体を挟持した状態を説明する模式図である。
【００１９】
図６は、本発明を適用してなるシート状媒体取扱装置のゲートパッドを設けた構成における概略構成及び動作を、ゲートパッドとゲートローラ部分を拡大して示す模式図である。図７は、本発明を適用してなるシート状媒体取扱装置のゲートパッドを設けた構成において、フィードローラとゲートパッドがシート状媒体を挟持した状態を説明する模式図である。図８は、本発明を適用してなるシート状媒体取扱装置のシートローラを設けた構成における概略構成及び動作を示す側面図である。なお、図１及び図８では、シート状媒体取扱装置の構成をわかり易くするため、図１及び図８において手前側に位置する側板や、この側板に取り付けられた部材や部品などは省略して示している。
【００２０】
本実施形態のシート状媒体取扱装置１は、図１に示すように、複数の積み重ねられたシート状媒体を収容可能な空間を有する収容室３に収容されたシート状媒体に搬送力を与えて収容室３から搬送路５へ送り出し、また逆に、搬送路５から収容室３へ媒体を取り込む機能を果たす送り機構７、収容室３に置かれた媒体を送り機構７側へ押しつけ、また、収容室３の空間の大きさを制御して収容室３へ取り込まれる媒体を整えて集積する収容機構９、収容室３から搬送路５へシート状媒体を送り出すときに、搬送方向と逆向きの力を与えて、複数枚が重なって送られる重送を防止するためのゲート機構１１などで構成されている。
【００２１】
送り機構７は、収容室３内に収容されたシート状媒体を収容室３から間欠的に搬送路５に送り出すための第１のローラであるピックアップローラ１３、搬送路５内で収容室３から送り出されたシート状媒体を、また、収容室３へシート状媒体を搬送するための第２のローラであるフィードローラ１５、そして、第２のローラを挟んでピックアップローラ１３と反対側に設けられ、フィードローラ１５と連動して回転する第４のローラであるピンチローラ１７を有している。
【００２２】
フィードローラ１５は、図２に示すように、一様な径のローラではなく、直径が大きい大径部と、直径が小さい小径部とが交互に設けられ、外周部が凹凸形状になっている。そして、フィードローラ１５の大径部には、ゴムなどの高摩擦体１５ａが取り付けられており、この大径部の外周面がシート状媒体との間で摩擦を生じるようになっている。さらに、フィードローラ１５は、図１及び図２に示すように、シャフト１９に取り付けられており、シャフト１９の両端部は、対向する側板２１に、各々、図示していないベアリングなどを介して回転自在に取り付けられている。シャフト１９の一方の端部は、図２に示すように、対応する側板２１の外側に取り付けられた第１モータ２３の軸に連結されており、フィードローラ１５は、第１モータ２３により回転駆動される。
【００２３】
ピックアップローラ１３は、図１及び図２に示すように、ローラの外周部の一部分のみにゴムなどの高摩擦体１３ａが取り付けられており、この部分の外周面のみがシート状媒体との間で摩擦を生じるようになっている。そして、ピックアップローラ１３は、シャフト２５に取り付けられており、シャフト２５の両端部は、各々、図示していないベアリングなどを介してブラケット２７に回転自在に取り付けられている。ブラケット２７は、帯板状の部材であり、２枚のブラケット２７が、各々その一方の端部でフィードローラ１５のシャフト１９に回転自在に取り付けられている。また、２枚のブラケット２７は、図２に示すように、各々、シャフト１９に取り付けられた２つのフィードローラ１５の外側で側板２１の間に取り付けられている。
【００２４】
ピックアップローラ１３のシャフト２５は、ブラケット２７のフィードローラ１５のシャフト１９に取り付けられた側の端部と反対側の端部寄りに取り付けられている。本実施形態では、２つのフィードローラ１５が設けられているのに対して、ピックアップローラ１３は、ブラケット２７とフィードローラ１５との間に各１つ、２つのフィードローラ１５間に１つ各々設けられている。また、ピックアップローラ１３とフィードローラ１５は、ブラケット２７の延在方向で部分的に重なった状態で設けられている。
【００２５】
ブラケット２７のピックアップローラ１３のシャフト２５が取り付けられた側の端部には、ピックアップローラ１３、フィードローラ１５、そしてピンチローラ１７が並んだ方向に延在する第１ガイド面を形成する平板状の第１ガイド板２９の対応する位置との間に弾性部材であるバネ３１が取り付けられている。そして、このバネ３１により、ブラケット２７のピックアップローラ１３のシャフト２５が取り付けられた側の端部は、第１ガイド板２９方向に付勢されている。したがって、ブラケット２７およびピックアップローラ１３は、図１の矢印Ａのように、フィードローラ１５のシャフト１９を中心として揺動可能になっている。
【００２６】
また、ピックアップローラ１３のシャフト２５は、フィードローラ１５のシャフト１９と図示しないベルトや歯車などの伝達機構を介して連結されており、ピックアップローラ１３は第１モータ２３の駆動により、フィードローラ１５に連動して回転力を与えられる。このとき、ピックアップローラ１３には、ローラの外周部の一部分のみにゴムなどの高摩擦体１３ａが取り付けられているため、シート状媒体を収容室３から間欠的に搬送路５に送り出すことになる。
【００２７】
ピンチローラ１７は、図１及び図２に示すように、ローラの外周部にゴムなどの高摩擦体１７ａが取り付けられており、外周面がシート状媒体との間で摩擦を生じるようになっている。そして、ピンチローラ１７は、シャフト３３に取り付けられており、シャフト３３の両端部は、対向する側板２１に、各々、図示していないベアリングなどを介して回転自在に取り付けられている。本実施形態では、２つのフィードローラ１５が設けられているのに対して、ピンチローラ１７は、側板２１とフィードローラ１５との間に各１つ、２つのフィードローラ１５間に１つ各々設けられている。ピンチローラ１７のシャフト３３も、フィードローラ１５のシャフト１９と図示しないベルトや歯車などの伝達機構を介して連結されており、ピンチローラ１７も、第１モータ２３の駆動により、フィードローラ１５に連動して回転力を与えられる。
【００２８】
ここで、ピックアップローラ１３とピンチローラ１７は、フィードローラ１５を挟んで配置されているが、ピックアップローラ１３の回転軸とピンチローラ１７の回転軸との距離Ｌは、取り扱うシート状媒体のうち長さが最小ものよりも短くなるように設定する。これにより、ピックアップローラ１３の高摩擦体１３ａで付勢され、収容室３から搬送路５に送り出されたシート状媒体を、フィードローラ１５とピンチローラ１７とにより確実に搬送することができる。
【００２９】
また、平板上の第１ガイド板２９で形成された直線状の第１ガイド面に沿ってピックアップローラ１３、フィードローラ１５、そしてピンチローラ１７が直線状に並んでいる。さらに、ピックアップローラ１３、フィードローラ１５、そしてピンチローラ１７のシート媒体に接する面となる部分は、第１ガイド板２９のピックアップローラ１３、フィードローラ１５、そしてピンチローラ１７各々に対応する位置に形成された図示していない穴から搬送路５内に突出しており、ピックアップローラ１３、フィードローラ１５、そしてピンチローラ１７のシート媒体に接する面は、ほぼ直線上にあるように設けられている。
【００３０】
収容室３は、第１ガイド板２９、Ｌ字状に形成された板からなるトレー３５、そして側板２１によって画成され、シート状媒体の受け渡し口となる開口３７を有する空間である。収容機構９は、図１に示すように、このような収容室３内に設けられた押板３９と、押板３９を移動可能に支持し、押板３９の移動を案内するスライダ４１などからなる。押板３９は、第１ガイド板２９と平行に支持されており、スライダ４１は、第１ガイド板２９と、Ｌ字状のトレー３５の第１ガイド板２９に平行な部分との間に設けられている。
【００３１】
そして、押板３９は、スライダ４１に沿って、図示しないモータにより図１に示す矢印Ｂの方向、つまり第１ガイド板２９に向かう方向と離れる方向とに移動する。これにより、収容室３に束状に積み重ねた状態で置かれたシート状媒体を送り機構７のピックアップローラ１３へ近づけて搬送路へ送り、また、押板３９と第１ガイド板２９との距離を適切に保って、送り機構７によって搬送路５から収容室３に向けて送られてくるシート状媒体を、整えて収容室３に集積する。
【００３２】
ゲート機構１１は、図１及び図２に示すように、第２のローラであるフィードローラ１５に対向して設けられ、フィードローラ１５との間にシート状媒体を挟み込む挟持部材となる第３のローラであるゲートローラ４３、第４のローラであるピンチローラ１７に対向して設けられ、ピンチローラ１７との間にシート状媒体を挟み込む第５のローラであるプッシュローラ４５、ゲートローラ４３とプッシュローラ４５を支持している支持部材４７、支持部材４７をフィードローラ１５方向に移動させる移動部材となるゲートフック４９などを有している。
【００３３】
ゲートローラ４３は、フィードローラ１５と同様に、一様な径のローラではなく、直径が大きい大径部と、直径が小さい小径部とが交互に設けられ、外周部が凹凸形状になっている。そして、ゲートローラ４３の大径部には、ゴムなどの高摩擦体４３ａが取り付けられており、外周面がシート状媒体との間で摩擦を生じるようになっている。ゲートローラ４３は、シャフト５１に取り付けられており、シャフト５１の両端部は、図３に示すように、支持部材４７の対向する側壁４７ａに、各々、ワンウェイクラッチ５３を介して一方向にのみ回転する状態で取り付けられている。本実施形態では、図２に示すように、２つのフィードローラ１５が設けられているのに対して、フィードローラ１５に対向させて２つのゲートローラ４３が設けられている。さらに、フィードローラ１５の大径部に対してゲートローラ４３の小径部が、フィードローラ１５の小径部に対してゲートローラ４３の大径部が来るようにゲートローラ４３が設けられている。
【００３４】
ワンウェイクラッチ５３は、シート状媒体を収容室３の方向へ送る向き、すなわち図３の矢印Ｃで示す方向のみにゲートローラ４３を回転させるものである。したがって、ゲートローラ４３は、シート状媒体を搬送路５の方向に送るときは回転しない。これにより、シート状媒体に摩擦により搬送抵抗力を与え、重なったシート状媒体のうち、ゲートローラ４３側にあるシート状媒体を止めてシート状媒体を１枚ずつ分離して搬送路５へ送り、シート状媒体の重送を防止する。一方、シート状媒体を収容室３の方向へ送るときは、ゲートローラ４３が回転することで、滑らかにシート状媒体を収容室３へ送ることができる。
【００３５】
プッシュローラ４５は、図３に示すように、シャフト５５に取り付けられており、シャフト５５の両端部は、支持部材４７の第１ガイド板に平行な第２ガイド板４７ｂとなる部分の第１ガイド板に対向する第２ガイド面となる面と反対側の面に固定されたローラホルダ５７に各々支持されている。ローラホルダ５７は、シャフト５５の端部を回転自在に支持すると共に、搬送路５を搬送されているシート状媒体の面に直交する方向に移動可能に支持している。
【００３６】
したがって、プッシュローラ４５のシャフト５５は、ローラホルダ５７により可動範囲が制限される。また、プッシュローラ４５のシャフト５５と、支持部材４７の第２ガイド板４７ｂの第１ガイド板に対向する第２ガイド面となる面と反対側の面との間に弾性部材であるバネ５９が取り付けられている。バネ５９は、プッシュローラ４５をピンチローラ１７方向に付勢している。また、本実施形態では、３つのピンチローラ１７に対向させて、３つのプッシュローラ４５を設けている。したがって、ピンチローラ１７とプッシュローラ４５は、互いの外周面でシート状媒体を挟持して搬送する。
【００３７】
支持部材４７は、図２及び図３に示すように、第１ガイド板２９の平行で、第１ガイド板２９と共に直線状の搬送路５を形成する第２ガイド板４７ｂ、第２ガイド板４７ｂの両縁部から各々第２ガイド板４７ｂに対して直角に垂下された側壁４７ａ、そして第２ガイド板４７ｂの縁部から第１ガイド板２９に向かって突出したストッパ４７ｃを備えている。支持部材４７の第２ガイド板４７ｂには、ゲートローラ４３とプッシュローラ４５に対応する位置に、各々図示していない穴が形成されており、ゲートローラ４３とプッシュローラ４５は、この図示していない穴から搬送路５内に突出しており、ゲートローラ４３とプッシュローラ４５のシート媒体に接する面は、ほぼ直線上にあるように設けられている。
【００３８】
また、支持部材４７は、図１及び図２に示すように、側壁４７ａに連結されて支持部材４７を移動可能に支持し、支持部材４７の移動を案内するガイドスライダ６１を介して側板２１へ取り付ける構造となっており、支持部材４７が、つまり、ゲートローラ４３とプッシュローラ４５、そして第２ガイド板４７ｂが図１に示す矢印Ｄのように、シート状媒体の面に直行する方向に移動可能になっている。支持部材４７に設けられたストッパ４７ｃは、図２に示すように、支持部材４７つまり第２ガイド板４７ｂが最も第１ガイド板２９に近づいたとき、第１ガイド板２９の第１ガイド面に当接するようになっている。なお、支持部材４７に設けられたストッパ４７ｃは、フィードローラ１５に対する位置関係が変化しない部分であれば、第１ガイド板２９の第１ガイド面だけでなく、例えばフィードローラ１５のシャフト１９に当接する構成などにすることもできる。
【００３９】
このように、支持部材４７に設けられたストッパ４７ｃが、第１ガイド板２９の第１ガイド面といったフィードローラ１５に対する位置関係が変化しない部分に当接することで、図４に示すように、ゲートローラ４３とフィードローラ１５の互いの凹凸状の外周部が噛み合ったような状態で重なったときの重なりの距離Ｍを規定する規定部材となる。
【００４０】
ゲートフック４９は、図１及び図３に示すように、支持部材４７を移動させると共に、支持部材４７の移動範囲を制限する。ゲートフック４９は、フィードローラ１５の側方から支持部材４７にかけて、支持部材４７の移動方向に延在する板状の部材であり、支持部材４７の位置に対応する部分に矩形の切り欠きが形成された鉤状部４９ａが設けられている。ゲートフック４９は、図２に示すように、フィードローラ１５と側板２１との間に各々１つずつ設置されており、ゲートフック４９に設けられた鉤状部４９ａは、図１乃至図３に示すように、支持部材４７の第２ガイド板４７ｂの両縁部に設けられた穴４７ｄに挿入されており、ゲートフック４９に設けられた鉤状部４９ａが、支持部材４７に設けられた穴４７ｄに係合したような状態となっている。
【００４１】
また、ゲートフック４９は、ゲートフック４９を移動可能に支持し、ゲートフック４９の移動を案内するガイドスライダ６３を介して側板２１へ取り付けられており、さらに、図２に示すように、第２モータ６５の軸と図示していない歯車などの伝達機構を介して連結されているため、第２モータ６５の駆動により、図１に示す矢印Ｅのように、シート状媒体の面に直行する方向に移動可能になっている。なお、第１ガイド板２９には、ゲートフック４９の鉤状部４９ｄが通過可能な図示していない穴が形成されており、第１ガイド板２９は、ゲートフック４９の移動には干渉しないようになっている。
【００４２】
したがって、図３に示すように、ゲートフック４９が第２モータ６５の駆動によりフィードローラ１５側から支持部材４７側に向かう方向に動くと、ゲートフック４９に設けられた鉤状部４９ａの切り欠きの上縁部つまりフィードローラ１５側の縁部が、支持部材４７に当接して支持部材４７をフィードローラ１５から離れる方向に移動させる。このようにゲートフック４９に設けられた鉤状部４９ａの切り欠きの上縁部つまりフィードローラ１５側の縁部が、第１当接部４９ｂとなる。一方、ゲートフック４９が第２モータ６５の駆動により支持部材４７側からフィードローラ１５側に向かう方向に動くと、ゲートフック４９に設けられた鉤状部４９ａの切り欠きの下縁部つまりゲートローラ４３側の縁部が、支持部材４７に当接して支持部材４７をフィードローラ１５に向かう方向に移動させる。このようにゲートフック４９に設けられた鉤状部４９ａの切り欠きの下縁部つまりゲートローラ４３側の縁部が第２当接部４９ｃとなる。
【００４３】
また、ゲートフック４９の鉤状部４９ａが設けられた側と反対側の端部と、支持部材４７の第２ガイド板４７ｂとの間には、弾性部材であるバネ６７が取り付けられている。バネ６７は、支持部材４７をゲートフック４９の鉤状部４９ａが設けられた側と反対側の端部方向、つまり、フィードローラ１５やピンチローラ１７に向かう方向に付勢しており、これにより、支持部材４７に支持されたゲートローラ４３やプッシュローラ４５が、フィードローラ１５やピンチローラ１７に向かう方向に付勢された状態となっている。
【００４４】
なお、支持部材４７は、ゲートフック４９に設けられた鉤状部４９ａの第１当接部４９ｂが支持部材４７に当接して支持部材４７をフィードローラ１５から離れる方向に移動させた状態のとき、バネ６７の付勢力よりも大きな力が作用すると、図３に示す範囲ｈの間で動くことが可能である。一方、ゲートフック４９に設けられた鉤状部４９ａの第２当接部４９ｂが支持部材４７に当接して支持部材４７をフィードローラ１５に向かう方向に移動させ、支持部材４７がフィードローラ１５に最も接近した状態となったとき、ゲートフック４９に設けられた鉤状部４９ａの第２当接部４９ｂは、支持部材４７に設けたストッパ４７ｃによって規定された図４に示すゲートローラ４３とフィードローラ１５の重なりの距離Ｍを保つように、支持部材４７のフィードローラ１５から離れる方向への移動を拘束する。
【００４５】
このように、ゲートフック４９、ガイドスライダ６３、第２モータ６５、そしてバネ６７などが、フィードローラ１５とゲートローラ４３との間隔を調整する調整手段を形成している。
【００４６】
このような構成のシート状媒体取扱装置１の動作と本発明の特徴部などについて説明する。シート状媒体取扱装置１は、例えばＡＴＭつまり現金自動取引装置といったようなシート状媒体を取り扱う固定型端末装置などに組み込まれて使用される。シート状媒体取扱装置１では、図１に示すように、収容室３の開口３７が、シート状媒体の受け渡し口となる。したがって、シート状媒体は、開口３７から収容室３に投入され、収容室３から搬送路５の方向へ搬送されるか、または、搬送路５から収容室３に向けて搬送され、収容室３に重ねて集積され、開口３７から取り出される。
【００４７】
シート状媒体が開口３７から収容室３に投入され、収容室３から搬送路５の方向へ搬送されるとき、積み重ねられた状態の複数のシート状媒体は、ピックアップローラ１３側から、ピックアップローラ１３の高摩擦体１３ａが取り付けられた部分と接触することによって、間欠的に搬送路５へ送り込まれる。ここで、収容室３から、搬送路５へ送り込まれたシート状媒体が、紙幣などの薄く柔軟なシート状媒体であるとき、ゲートフック４９が、第２モータ６５の駆動により、支持部材４７側からフィードローラ１５側に向かって移動し、ゲートフック４９の第２当接部４９ｃが支持部材４７に当接して支持部材４７をフィードローラ１５側に向かって移動させる。そして、支持部材４７が第１ガイド板２９に最も近づいた状態となり、フィードローラ１５とゲートローラ４３とが最も重なり合った状態となる。
【００４８】
なお、第２モータ６５は、例えば、収容室３や搬送路５内のシート状媒体の厚みをセンサで検出した情報や、シート状媒体を取り扱う固定型端末装置が収容室３へ投入を支持したシート状媒体の種類の情報などに応じて駆動が制御されることなどで、フィードローラ１５とゲートローラ４３との間隔を適宜調整している。
【００４９】
フィードローラ１５とゲートローラ４３とが最も重なり合った状態では、図４に示すように、フィードローラ１５とゲートローラ４３とは接してはいないが、互いの凹凸上の外周部が噛み合ったような状態となり、フィードローラ１５とゲートローラ４３の各々の大径部が、シート状媒体６５の面に対して直交方向に距離Ｍだけ重なった状態となる。それにより、紙幣などの薄く柔軟なシート状媒体６５は、波形に変形する。
【００５０】
このような変形はフィードローラ１５やゲートローラ４３と、シート状媒体６５との接触力を高める。このとき、ゲートローラ４３は、ワンウェイクラッチ５３の作用により、シート状媒体６５が搬送路５に向かう方向には回転しないため、フィードローラ１５とゲートローラ４３との間にシート状媒体６５が重なって挟持されていても、ゲートローラ４３に接するシート状媒体６５はゲートローラ４３に保持されて搬送されず、フィードローラ１５に接するシート状媒体６５のみが１枚ずつ確実に分離されて搬送される。  
ここで、フィードローラ１５とゲートローラ４３の各々の大径部が重なる距離Ｍの寸法は、重なったシート状媒体の分離性能に影響を与えるため、例えば数十μｍといった公差で管理しなければならない。これに対して、本実施形態では、支持部材４７に支持されたゲートローラ４３の移動によってフィードローラ１５とゲートローラ４３との間隔が調整できる構成となっているため、ゲートフック４９の第２当接部４９ｂが支持部材４７をフィードローラ１５方向に移動させ、ゲートフック４９の第２当接部４９ｂが支持部材４７の移動を拘束して位置を決めるといった構成だけでは、例えば数十μｍといった公差を満足することは難しい。
【００５１】
このため、本実施形態では、支持部材４７にストッパ４７ｃが設けられており、ストッパ４７ｃが第１ガイド部材２９といったフィーローラ１５に対する位置が変化しない部分に当接させてフィードローラ１５とゲートローラ４３の各々の大径部が重なる距離Ｍを決定し、さらに、支持部材４７のストッパ４７ｃが第１ガイド部材２９といったフィーローラ１５に対する位置が変化しない部分に当接した状態でゲートフック４９の第２当接部４９ｂが支持部材４７の移動を拘束している。このような構成とすることにより、比較的加工精度を得やすい支持部材４７に設けたストッパ４７ｃで距離Ｍを規定できるため、例えば数十μｍといった公差を満足できる。
【００５２】
一方、収容室３から搬送路５へ送り込まれたシート状媒体が、プラスチックカードなどの厚めで剛性が比較的高い、つまり硬いシート状媒体であるとき、図１に示すように、ゲートフック４９が、第２モータ６５の駆動により、フィードローラ１５側から支持部材４７側に向かって移動し、ゲートフック４９の第１当接部４９ｂが支持部材４７に当接して支持部材４７をフィードローラ１５から離れる方向に移動させる。そして、フィードローラ１５とゲートローラ４３は、フィードローラ１５とゲートローラ４３の互いの外周面の間隔がシート状媒体の厚みに応じ、このシート状媒体の厚みよりも小さい距離になるように配置される。
【００５３】
この状態で、フィードローラ１５とゲートローラ４３との間に、図５に示すように、プラスチックカードなどの厚めで剛性が比較的高いシート状媒体６７が進入して来ると、支持部材４７は、ゲートフック４９の第２当接部４９ｃに当接するまでフィードローラ１５から離れる方向に移動可能であるため、フィードローラ１５とゲートローラ４３の互いの外周面の間隔がシート状媒体の厚みと同じ距離Ｎまで広がる。このとき、支持部材４７は、ゲートフック４９と支持部材４７との間に取り付けられたバネ６７の付勢力により、フィードローラ１５側に向けて付勢されるため、ゲートローラ４３がフィードローラ１５側に向けて付勢されることになり、フィードローラ１５とゲートローラ４３の互いの外周面間にシート状媒体６７を挟持できる。
【００５４】
そして、前述のように、ゲートローラ４３は、媒体を分離する方向には回転しないため、シート状媒体６７が重なっていても、１枚ずつ分離して搬送路５へ送ることができる。
【００５５】
ところで、図４や図５に示したように、凹凸状で噛み合うような外周面を有するフィードローラ１５とゲートローラ４３とでシート状媒体を挟持する場合、例えば紙幣などの比較的丈夫なシート状媒体やプラスチック製の剛性が比較的高いシート状媒体では問題なく分離や搬送を行える。しかし、例えば振込用紙といったような比較的弱いシート状媒体では、凹凸状で噛み合うような外周面を有するフィードローラ１５とゲートローラ４３とで挟持されると、折り目がついたり、破損したりする可能性がある。このため、例えば振込用紙といったような比較的弱いシート状媒体では、凹凸状で噛み合うような外周面を有するフィードローラ１５とゲートローラ４３とでシート状媒体を挟持できない場合がある。
【００５６】
このようなシート状媒体を取り扱う可能性があるシート状媒体取扱装置１では、図６及び図７に示すように、第１の挟持部材となるゲートローラ４３と別に第２の挟持部材となるゲートパッド６９を設け、シート状媒体の種類に応じてゲートローラ４３とゲートパッド６９とを切り換える構成とする。ゲートパッド６９は、ゲートローラ４３のシャフト５１に取り付けられた板カム形状の部材、つまり、シャフト５１から一方向に向けて突出した形状の部材であり、突出した部分の平坦な端面を有する先端部には、ゴムなどの高摩擦体６９ａが取り付けられており、先端部の高摩擦体６９ａの端面がシート状媒体との間で摩擦を生じるようになっている。シャフト５１にベアリング７１を介して回転自在に取り付けられており、シャフト５１の回転とは関係なく、シャフト５１を回転軸として回動でき、シャフト５１が回転してもゲートパッド６９は動かない。
【００５７】
このようなゲートパッド６９は、フィードローラ１５の大径部に対応する位置に設けられている。本実施形態では、１つのフィードローラ１５が２つ小径部を挟んだ状態で３つの大径部を有しているため、ゲートパッド６９も１つのフィードローラ１５に対して、このフィードローラ１５の大径部に対応する位置に３つ設けられている。このとき、１つのゲートパッド６９は、ゲートローラ４３のフィードローラ１５の大径部に対応する小径部の位置に来る。このため、ゲートパッド６９を設けた構成の場合には、ゲートローラ４３は、図７に示すように、小径部を設けず、大径部のみを独立させた状態で設けている。
【００５８】
ゲートパッド６９は、支持部材４７の側壁４７ａに取り付けられたソレノイド式のアクチュエータ７３の軸に連結されており、アクチュエータ７３の軸７３ａの図６に示す矢印Ｆの方向への直進移動により、高摩擦体６９ａ側がゲートローラ４３の外周面よりもフィードローラ１５方向に突出した状態と、高摩擦体６９ａ側が支持部材４７の第２ガイド板４７ｂよりも内側に収容された状態との間で、シャフト５１を回転軸として、図６に示す矢印Ｇの方向へ回動する。これにより、ゲートパッド６９は、シート状媒体を収容室３から搬送路５へ送るときにのみ、ゲートパッド６９の先端部の高摩擦体６９ａを支持部材の第２ガイド板４７ｂよりも搬送路５側に、つまり、ゲートローラ４３の外周面よりもフィードローラ１５側に突出させることができる。
【００５９】
このようなゲートパッド６９を備えた構成とすることによって、図７に示すように、紙幣のような柔軟性がなく、プラスチック製のカードやシートなどのように硬くないシート状媒体７５の収容室３から搬送路５へ搬送し、そして、重なったシート状媒体７５の分離を行う場合には、ゲートパッド６９を回動させて支持部材４７の第２ガイド板４７ｂからフィードローラ１５側に突出させることで、フィードローラ１５の大径部とゲートパッド６９の先端部との間にシート状媒体７５が挟持され、シート状媒体７５が折れ曲がるのを防ぎ、シート状媒体７５の折り目がついたり、破損したりするのを防ぐことができる。
【００６０】
このとき、ゲートパッド６９の先端部の高摩擦体６９ａが、高摩擦体６９ａに接触しているシート状媒体７５の移動を妨げるため、シート状媒体７５が重なって搬送されるのを防止できる。なお、シート状媒体７５を収容室３に集積するときは、ゲートパッド６９を支持部材４７の第２ガイド板４７ｂよりも内側に収納し、シート状媒体７５には接触しないようにする。なお、このようなゲートパッド６９の設置は、取り扱う可能性があるシート状部材の種類に応じて適宜選択する。
【００６１】
一方、シート状媒体を収容室３内に集積するとき、ゲートローラ４３は、搬送されてくるシート状媒体に従って回転して、シート状媒体を収容室３に向けて滑らかに搬送する。しかし、図８に示すように、剛性が比較的高い硬い曲がり難いシート状媒体７７などでは、シート状媒体７７の搬送路５側の後端部が支持部材４７の第２ガイド板４７ｂの収容室３側の端部や、トレー３５の第１ガイド板２９に向かって立ち上がった部分の端縁部などに引っかかり、シート状媒体７７が収容室３内の押板３９上に平坦に集積されない場合がある。
【００６２】
このようなシート状媒体７７を取り扱う可能性があるシート状媒体取扱装置１では、図８に示すように、ゲートローラ４３のシャフト５１に、ゲートローラ４３と並べてシートローラ７９を設ける。したがって、シートローラ７９は、シャフト５１の回転と一緒に、つまり、ゲートローラ４３の回転に連動して回転する。シートローラ７９は、シャフト５１に対して放射状に延在する平板状のプラスチックなどで形成されたシート部７９ａが設けられている。シートローラ７９のシート部７９ａは、ゲートローラ４３の半径よりも長く、ゲートローラ４３からはみ出す長さで設けられ、さらに、支持部材４７の第２ガイド板４７ｂやトレー３５の第１ガイド板２９に向かって立ち上がった部分から突出する状態で設けられている。
【００６３】
なお、シートローラ７９のシート部７９ａは、シート状媒体を収容室３から搬送路５方向へ搬送する場合には、シート状媒体の搬送の障害にならないよう、シートローラ７９の支持部材４７の第２ガイド板４７ｂやトレー３５の第１ガイド板２９に向かって立ち上がった部分の間に収まる角度の範囲部分にのみ、部分的に設けられている。また、シートローラ７９のシート部７９ａの面は、搬送路５でのシート状媒体７７の搬送方向に向いている。このようなシートローラ７９の設置は、取り扱う可能性があるシート状部材の種類に応じて適宜選択する。
【００６４】
このようなシートローラ７９を備えた構成とすることにより、シート状媒体７７を収容室３内に確実に集積することができる。この構成において、シャフト５１がモータなどにより回転駆動し、シート部７９ａの位置を検出するセンサなどが設けられていることが望ましい。これにより、シートローラ７９のシート部７９ａは、シート状媒体を収容室３から搬送路５方向へ搬送する場合、シートローラ７９のシート部７９ａが搬送路５内に突出した状態にならないように、シートローラ７９を回転させ、全てのシート部７９ａを確実に支持部材４７の第２ガイド板４７ｂやトレー３５の第１ガイド板２９に向かって立ち上がった部分の間に収まる状態にできる。
【００６５】
このような本実施形態のシート状媒体搬送装置１では、取り扱うシート状媒体の種類に応じて、複数枚積み重ねたシート状媒体を１枚ずつ分離して搬送路５に送るフィードローラ１５とゲートローラ４３との間隔が、フィードローラ１５の大径部とゲートローラ４３の大径部が重なる位置から、フィードローラ１５の大径部の外周面とゲートローラ４３の大径部の外周面との間が所定の間隔離れた位置までの間で調整できる。したがって、１台のシート状媒体取扱装置で、異なる種類のシート状媒体を取り扱うことができる。
【００６６】
さらに、本実施形態では、調整手段は、ゲートローラ４３を支持している支持部材４７に当接してゲートローラ４３をフィードローラ１５から離れる方向に移動させる第１当接部４９ｂ、支持部材４７に当接してゲートローラ４３をフィードローラ１５に向かう方向に移動させる第２当接部４９ｃを備えた移動手段であるゲートフック４９、ゲートフック４９を移動させるための第２モータ６５や図示していない伝達機構、支持部材４７をフィードローラ１５方向に付勢するバネ６７などで構成することで、調整手段の構成を簡素化している。
【００６７】
加えて、本実施形態の支持部材４７には、ゲートローラ４３とフィードローラ１５とが最も接近したとき、フィードローラ１５に対して位置が変化しない第１ガイド板２９に当接して、ゲートローラ４３とフィードローラ１５とが最も接近して互いの対向する部分が重なったときのこの重なった距離Ｍを規定する規定部材となるストッパ４７ｃが設けられている。したがって、ゲートローラ４３とフィードローラ１５とが最も接近したとき、ゲートローラ４３とフィードローラ１５との重なり合う距離Ｍの公差の精度を向上し、シート状媒体の分離性能を向上できる。
【００６８】
なお、ストッパ４７ｃが当接する部分は、フィードローラ１５に対して位置が変化しない部分であれば、どこでもよいが、装置構成に関係なく確実にフィードローラ１５に対して位置が変わらない部分であることから、第１ガイド板２９やフィードローラ１５のシャフト１９をストッパ４７ｃが当接する部分とすることが望ましい。また、取り扱うシート状媒体の種類などによって距離Ｍの公差の精度を向上する必要がない場合には、ストッパ４７ｃのような規定部材を設けず、ゲートフック４９の第２当接部４９ｃが支持部材４７の移動を拘束することのみで、距離Ｍを調整する構成にすることもできる。
【００６９】
さらに、本実施形態では、フィードローラ１５と共にシート状媒体を挟持する挟持部材として、搬送路５から収容室３に向かう方向にのみ回転可能に支持部材４７に支持されたガイドローラ４３を用いている。このため、本実施形態のシート状媒体搬送装置１は、収容室３に収容されたシート状媒体を１枚ずつ分離して搬送路５へ送ることと、搬送路５から収容室３に向かって搬送されてきたシート状媒体を収容室３内に集積することとが可能であり、シート状媒体の受け渡しができる。ただし、収容室３に収容されたシート状媒体を１枚ずつ分離して搬送路５へ送る役割のみに用いられるシート状媒体搬送装置では、挟持部材がガイドローラ４３のようなローラである必要はなく、フィードローラ１５に対向する部分がフィードローラ１５の外周部の凹凸に噛み合う凹凸状に形成された様々な形状の部材を用いることもできる。
【００７０】
さらに、本実施形態では、搬送路５は、フィードローラ１５側に設けられた第１ガイド板２９の直線状の第１のガイド面と、支持部材４７に設けられた第２ガイド板４７ｂの第１ガイド面に平行に対向する直線状の第２ガイド面とで形成されていることにより、曲がり難いシート状媒体も取り扱うことができる。このとき、フィードローラ１５側に設けられたピンチローラ１７と、ピンチローラ１７との間にシート状媒体を挟み込むプッシュローラ４５とを設ける構成とするが、プッシュローラ４５は、ゲートローラ４３と共に支持部材４７に回転自在に支持されている。したがって、プッシュローラ４５は、ゲートローラ４３と同時に移動することになるため、フィードローラ１５とゲートローラ４３の間隔を調整することによって、ピンチローラ１７とプッシュローラ４５との間隔も同時に調整できる。
【００７１】
ただし、曲がり難いシート状媒体を取り扱わない場合などには、搬送路を直線状にする必要はなく、この場合ピンチローラ１７とプッシュローラ４５を設けていない構成などにすることもできる。
【００７２】
また、本発明は、本実施形態の構成に限らず、フィードローラ１５のような搬送路内で収容室から送り出されたシート状媒体を搬送するためのローラと、このローラとの間にシート状部材を挟み込んで重なったシート状部材を１枚ずつ分離するためのガイドローラ４３のような挟持部材を備えた様々なシート状媒体取扱装置に適用できる。
【図面の簡単な説明】
【００７３】
【図１】本発明を適用してなるシート状媒体取扱装置の一実施形態の概略構成及び動作を示す側面図である。
【図２】本発明を適用してなるシート状媒体取扱装置の一実施形態の概略構成を示す正面図である。
【図３】本発明を適用してなるシート状媒体取扱装置の一実施形態の移動部材及び支持部材の部分の概略構成を拡大して示す側面図である。
【図４】本発明を適用してなるシート状媒体取扱装置の一実施形態において、フィードローラとゲートローラが柔軟なシート状媒体を挟持した状態を説明する模式図である。
【図５】本発明を適用してなるシート状媒体取扱装置の一実施形態において、フィードローラとゲートローラが、剛性が比較的高いシート状媒体を挟持した状態を説明する模式図である。
【図６】本発明を適用してなるシート状媒体取扱装置のゲートパッドを設けた変形例の概略構成及び動作を、ゲートパッドとゲートローラ部分を拡大して示す模式図である。
【図７】本発明を適用してなるシート状媒体取扱装置のゲートパッドを設けた変形例において、フィードローラとゲートパッドがシート状媒体を挟持した状態を説明する模式図である。
【図８】本発明を適用してなるシート状媒体取扱装置のシートローラを設けた変形例における概略構成及び動作を示す側面図である。
【符号の説明】
【００７４】
１  シート状媒体取扱装置
３  収容室
５  搬送路
７  送り機構
９  収容機構
１１  ゲート機構
１３  ピックアップローラ
１５  フィードローラ
４３  ゲートローラ
４７  支持部材
４９  ゲートフック
４９ａ  鉤状部
４９ｂ  第１当接部
４９ｃ  第２当接部
【図１】
2005194068.tif 000003
【図２】
2005194068.tif 000004
【図３】
2005194068.tif 000005
【図４】
2005194068.tif 000006
【図５】
2005194068.tif 000007
【図６】
2005194068.tif 000008
【図７】
2005194068.tif 000009
【図８】
2005194068.tif 000010